(57)【要約】【課題】車をオーバーランさせることなく確実に停車させる車止めの機能と、広告塔の機能の２つを備えた車止めブロックを提供することにある。また、耐久性、安全性、そしてデザイン性に優れ、かつ視認性の高い車止めブロックを提供することにある。【解決手段】車両が駐車する場所に設置するゴム製の車止めブロックであって，上端部より下方にタイヤの当接する傾斜部が形成され、前記傾斜部の下部には車両のオーバーランを防止する垂直面が形成されていることを特徴とする。ゴムの使用により、タイヤが車止めブロックに当接したときの衝撃や騒音を最低限に抑えることができる。また、タイヤが当接する傾斜面の下部に垂直面があるため、車両のオーバーランを確実に防止することができる。【選択図】図１
2009161908.tif 000002
【特許請求の範囲】
【請求項１】
車両が駐車する場所に設置するゴム製の車止めブロックであって、
上端部より下方にタイヤの当接する傾斜面が形成され、
前記傾斜面の下部に車両のオーバーランを防止する垂直面が形成されていることを特徴とする車止めブロック。
【請求項２】
前記傾斜面に広告スペースが設けられていることを特徴とする請求項１に記載の車止めブロック。
【請求項３】
前記ゴムの硬度が５０度から７０度の範囲にあることを特徴とする請求項１又は２に記載の車止めブロック。
【請求項４】
前記広告スペースにアルミ反射板が設けられていることを特徴とする請求項１から３のいずれかに記載の車止めブロック。
【請求項５】
前記車止めブロックの外周の一部に反射部材を取付け、前記反射部材からの反射光により視認性を向上させたことを特徴とする請求項１から４のいずれかに記載の車止めブロック。
【請求項６】
前記車止めブロックの底面に滑り止めパターンが形成されていることを特徴とする請求項１から５のいずれかに記載の車止めブロック。
【請求項７】
前記車止めブロックの内部に空洞部が設けられていることを特徴とする請求項１から６のいずれかに記載の車止めブロック。
【発明の詳細な説明】
【技術分野】
【０００１】
本発明は、車両が駐車する場所に設置する車止めブロックに関し、特に環境にやさしく（エコロジー）、安全であり、かつ車止めブロックの機能の他に、広告塔としての機能を備えた車止めブロックに関する。
【背景技術】
【０００２】
車止めブロックは、車を駐車させる場合に所定の停車位置でタイヤを車止めブロックに当接させて、これにより車を止めるものであり、駐車場や車庫に設置されている。
【０００３】
車止めブロックは、大小様々な車を停車させるものであるから、その度に大きな衝撃を受ける。このため、プラスチックのような軽量物では容易に損傷、破壊されてしまい車止めとしての機能を果たすことができない。よって、一般的にはコンクリート製のブロックが用いられている。
【０００４】
コンクリートブロックは比重が比較的大きいので適度の大きさで適当な質量が得られ、ブロックを配置しただけでも簡単には移動せず、路面に一部を埋め込んで用いれば十分に固定され、またコストも小さい。
【０００５】
しかし、コンクリートブロックは材質が非常に硬いので、駐車場内を移動する歩行者、特に老人や幼児が転倒するなどして、硬いコンクリートのブロックに身体を打ちつけた場合に、大きな怪我に結びつくことも少なくない。このため、車止めブロックの材料としては、コンクリートよりも柔らかく、身体を強く打ちつけたとしても負傷する可能性の小さい材料、即ち衝撃緩衝性を備えたものを用いることが望ましい。
【０００６】
コンクリートに代わる樹脂製の車止めブロックとして、下記特許文献１には、ポリエチレンとポリプロピレンとの複合体を成形したものが記載されている。しかし、これらの樹脂もコンクリートに比較すれば柔らかいが、身体を強く打ちつけたときの負傷を防ぐという点では、衝撃緩衝性を備えた材料であるとは言えない。
【０００７】
一方、車止めブロックが設置される駐車場には多くの人が出入りする。このため、例えばスーパや百貨店等の駐車場においては、そこに入居している店舗名、会社名や、販売商品等を明記した看板が設置されている。例えば、下記特許文献２では、業務時には看板や車寄せとして使用され、非業務時には車止めとして使用可能な看板兼車止めが記載されている。
【０００８】
ここで、駐車場には複数の自動車を整列して駐車させるために、所定の間隔を開けて複数の車止めブロックが設けられている。かかる車止めブロックに看板としての機能を持たせることができれば、別途看板を設けずとも広告の機能を向上させることもできる。従来、車止めブロックは、あくまでも車が停止位置よりもオーバーランしないようにする機能のみであり、広告塔として機能を持った車止めブロックはこれまでに存在しない。
【特許文献１】特開２０００−２３０２２０号公報
【特許文献２】特開２００４−３００９０５号公報
【発明の開示】
【発明が解決しようとする課題】
【０００９】
そこで、本発明の課題は、車止めブロックとしての本来の機能である、車をオーバーランさせることなく確実に停車させる車止めの機能と、広告塔の機能の２つを備えた車止めブロックを提供することにある。また、耐久性、安全性、そしてデザイン性に優れ、かつ視認性の高い車止めブロックを提供することにある。
【課題を解決するための手段】
【００１０】
本発明は、車両が駐車する場所に設置するゴム製の車止めブロックであって、上端部より下方にタイヤの当接する傾斜面が形成され、前記傾斜面の下部に車両のオーバーランを防止する垂直面が形成されていることを特徴とする。ゴムの使用により、車両のタイヤが車止めブロックに当接したときの衝撃や騒音を最低限に抑えることができる。また、車両のタイヤが当接する傾斜面の下部に垂直面が形成されているため、車両のオーバーランを確実に防止することができる。
【００１１】
前記傾斜面に広告スペースが設けられていることは好ましい。従来の車止めブロックは、車両のオーバーランを防止する機能しか持っていなかったが、前記傾斜面に店舗名や会社名等を記入する広告スペースを設けることにより、車止めブロックに広告塔としての機能を持たせることができる。
【００１２】
前記ゴムの硬度が５０度から７０度の範囲にあることは好ましい。これにより、車止めブロックに衝撃緩衝性を持たせることができ、歩行者が転倒し、身体を強く打ちつけたとしても負傷リスクを最小限に抑えることができる。
【００１３】
前記ゴムが古タイヤの再生ゴムであることは好ましい。これにより、環境に優しい（エコロジー）車止めブロックとすることができる。
【００１４】
前記広告スペースににアルミ反射板が設けられていることは好ましい。これにより、歩行者や運転手の広告スペースへの注意度を向上させることができる。
【００１５】
また、前記車止めブロックの外周の一部に反射部材を取付け、前記反射部材からの反射光により視認性を向上させることは好ましい。これにより、車両後退運転、他車両への追突回避、及び歩行者に注意を喚起することが可能となり、駐車場における車両の衝突や、歩行者が車止めブロックにつまずき、転倒することを防止できる。
【００１６】
前記車止めブロックの底面に滑り止めパターンが形成されていることは好ましい。これにより、アンカーピン等の固定具によらず、例えば接着剤等により車止めブロックを地面に固定することができる。
【００１７】
前記車止めブロックの内部に空洞部が設けられていることは好ましい。空洞部を設けることにより、車止めブロックの重量を軽減することができ、車止めブロックの設置の作業性が向上する。
【発明の効果】
【００１８】
本発明により、車をオーバーランさせることなく確実に停車させる車止めの機能と、広告塔の機能の２つを備えた車止めブロックを提供することができる。また、耐久性、安全性、そしてデザイン性に優れ、かつ視認性の高い車止めブロックを提供することができる。
【発明を実施するための最良の形態】
【００１９】
以下図面を参照して、本発明の車止めブロックの一実施形態である実施例について説明する。
図１は、本発明の一実施例である車止めブロック１の斜視図である。本発明の車止めブロックを古タイヤの再生ゴムを材料として製造することは好適である。再生する古タイヤの再生ゴムの硬度を５０度以上７０度以下とすることは好ましい。再生ゴムの硬度を７０度以下とすることにより、車両のタイヤ当接時の衝撃を吸収することができ、また騒音を抑制することができる。一方、再生ゴムの硬度が５０度以下になると摩耗が激しくなり、耐久性に問題が出るためである。また、再生ゴムの硬度が５０度から７０度の範囲にあれば、歩行者が転倒等により車止めブロックに衝突した場合でも、衝撃を十分に吸収することができ、負傷を最小限に食い止めることができる。
【００２０】
この車止めブロック１の構造は、図１に示すように直方体の下部１２と、その上面に４面が台形の形状の傾斜部からなる傾斜部１３とで形成されている。また、傾斜部１３の上面１４は平面となっている。ここで、本発明の特徴とするところの一つは、傾斜部１３の長手方向の面に会社名や店舗名、あるいは商品等の広告を表示する広告掲載部１０が形成されていることである。
【００２１】
広告掲載部１０は、傾斜部１３の表面から凹部となるように形成されており、車両のタイヤが傾斜部１３に当接しても、直接広告掲載部１０には接触しないように形成されている。広告掲載部１０に広告内容（会社名、商品名、店舗名等）を表示したプレートを貼付、あるいは広告掲載部１０に直接文字や絵柄を彫り込むことで、ユーザは車止めブロックを広告塔としても活用することができる。
【００２２】
本実施例では、車止めブロック１の材料として古タイヤの再生ゴムを用いた。ここで使用した再生ゴムの硬度を７０度以下としているので、広告掲載部１０に広告内容を後から彫り込むことができる。なお、例えば金型プレスによる製造の場合には、金型に広告内容も形成することで、車止めブロックの製造時に広告内容も同時に作製するようにしても良い。
【００２３】
本実施例では車止めブロック１の材料として古タイヤの再生ゴムを用いたが、本発明はこれに限定されるものではなく、種々の変形が可能である。例えば、材料として天然ゴム、合成ゴム、その他これに類する材料を含むものであることはいうまでもない。
【００２４】
車止めブロック１の内部には空洞部が形成されている。傾斜部１３の内部に空洞部を設けることにより、傾斜部１３が車両のタイヤと当接したとき、空洞部と共に全体が変形してタイヤの進行に対して抵抗する力を与えるためである。
【００２５】
この車止めブロック１は、上面１４からアンカーピンを打ち込み、地面に固定することができるように構成されている。車止めブロック１を設置する位置を決め、上面１４からドリル等により底面１５のアンカーホール１５ｂ（図４参照）まで穴を開け、そこにアンカーピンを打ち込み、地面に固定する。なお、アンカーピンを打ち込んだ後は、キャップ１１によりアンカーピンをカバーする構造となっている。
【００２６】
ここで、広告掲載部１０にアルミプレート（アルミ反射板）を貼付しておくことは好ましい。古タイヤを材料とする再生ゴムを用いて製造した車止めブロックは黒色である。一方、広告掲載部１０に白銀のアルミプレートを貼付すれば、コントラストの関係から、その視認性を一層高めることができるためである。また、アルミプレートは、耐食性、加工性に優れると共に、ステンレス等に比較すればコスト面においても優位性があり、好ましいためである。
【００２７】
図２は、この車止めブロック１に車両のタイヤが当接した状態を示した図である。車止めブロック１は、その下部１２が直方体であるため、傾斜部１３が地面まで延びている従来の車止めブロックに比較して、車両のオーバーランをより確実に防止することができる。
【００２８】
更に、下部１２の短手方向の傾斜部には、例えば蛍光テープを貼付する反射部材貼り付け部１６が形成されている。反射部材貼り付け部１６に反射部材を貼り付けることにより、駐車場を移動する歩行者の視認性を高めることができる。その結果、例えばお年寄りや幼児が車止めブロック１につまずき、転倒する事故の確率を低減することができる。
【００２９】
図３(ａ)は、車止めブロック１の長手方向の側面図である。この実施例における車止めブロック１の長手方向の幅は約５５０ｍｍ、下部１２の高さは約４５ｍｍ、傾斜部１３の高さは約６５ｍｍ、そして上面１４の長手方向の幅は約４０５ｍｍである。ここで、広告掲載部１０は長さ３８７ｍｍ、高さ４８ｍｍである。
【００３０】
図３（ｂ）は、車止めブロック１の短手方向の断面図である。図３（ｂ）に示すように内部には空洞部が形成されている。これにより、車両のタイヤが当接したときの衝撃を緩衝でき、かつ全体の重量の低減を図ることができる。
【００３１】
図４は、車止めブロック１の底面１５を示した図である。上面１４からアンカーピンを打ったときには、アンカーホール１５ｂを貫通し、地面に固定される。また、底面１５には、図４に示すように点状突起１５ａが形成されており、かつ図４に示すようなパターンが形成されている。車止めブロック１の底面１５をこのようなパターンとすることにより、底面１５と地面との接着性が向上し、アンカーピンを用いずに、接着材だけによっても固定可能なものとしている。
【図面の簡単な説明】
【００３２】
【図１】本発明の一実施例である車止めブロックの斜視図
【図２】車止めブロックにタイヤが当接した状態を示した図
【図３】車止めブロックの長手方向の側面／短手方向の断面を示した図
【図４】車止めブロックの底面を示した図
【符号の説明】
【００３３】
１…車止めブロック
１０…広告掲載部
１１…キャップ
１２…下部
１３…傾斜部      
１４…上面
１５…底面
１５ａ…点状突起
１５ｂ…アンカーホール
１６…反射部材貼り付け部
【図１】
2009161908.tif 000003
【図２】
2009161908.tif 000004
【図３】
2009161908.tif 000005
【図４】
2009161908.tif 000006